(57)【要約】【課題】本発明は、切片型スイッチが用いられるスイッチ回路の消費電力を低減することを目的とする。【解決手段】制御部１８は、第１スイッチＳ１がオンであり第２スイッチＳ２がオフであるときに、電圧Ｖ１がバッテリ出力電圧（電源レベル）から基準レベルに変化したときは、第１接点Ｔ１の電圧が電源レベルから基準レベルに変化した後に、第１スイッチＳ１をオフにすると共に、第２スイッチＳ２をオンにする。また、制御部１８は、第１スイッチＳ１がオフであり第２スイッチＳ２がオンであるときに、第２接点Ｔ２の電圧が電源レベルから基準レベルに変化したときは、第２接点Ｔ２の電圧が電源レベルから基準レベルに変化した後に、第１スイッチＳ１をオンにすると共に、第２スイッチＳ２をオフにする。【選択図】図１
2020098686.tif 000002
【特許請求の範囲】
【請求項１】
第１接点、第２接点、基準端子および前記基準端子に接続された切片を備え、ユーザによる操作に応じて、前記第１接点または前記第２接点のうち一方に、前記切片を接触させる操作スイッチと、
前記第１接点から電力源に至る経路に直列に挿入された第１スイッチおよび第１抵抗器と、
前記第２接点から前記電力源に至る経路に直列に挿入された第２スイッチおよび第２抵抗器と、
前記第１接点の電圧である第１電圧、および前記第２接点の電圧である第２電圧を検出し、前記第１電圧および前記第２電圧に基づいて、前記第１スイッチおよび前記第２スイッチを制御する制御部と、を備え、
前記基準端子は、電圧が基準レベルである導体に接続されており、
前記制御部は、
前記第１スイッチがオンであり前記第２スイッチがオフであるときに、前記第１接点の電圧が電源レベルから基準レベルに変化したときは、前記第１接点の電圧が電源レベルから基準レベルに変化した後に、前記第１スイッチをオフにすると共に、前記第２スイッチをオンにし、
前記第１スイッチがオフであり前記第２スイッチがオンであるときに、前記第２接点の電圧が電源レベルから基準レベルに変化したときは、前記第２接点の電圧が電源レベルから基準レベルに変化した後に、前記第１スイッチをオンにすると共に、前記第２スイッチをオフにすることを特徴とするスイッチ回路。
【請求項２】
請求項１に記載のスイッチ回路において、
前記操作スイッチでは、前記ユーザによって操作がされていないときには、前記切片が前記第２接点に接触し、前記ユーザによって操作がされたときには、前記切片は前記第１接点に接触した後に、前記第２接点に接触することを特徴とするスイッチ回路。
【請求項３】
請求項１または請求項２に記載のスイッチ回路と、
電気機器との間の無線通信によって、当該電気機器を制御する制御対象回路と、を備え、
前記電力源はバッテリであり、
前記制御部は、
前記第１電圧または前記第２電圧に基づいて、前記制御対象回路を制御することを特徴とするスイッチシステム。
【発明の詳細な説明】
【技術分野】
【０００１】
本発明は、スイッチ回路およびスイッチシステムに関し、特に、スイッチの状態を検出する回路に関する。
【背景技術】
【０００２】
産業用の電気機器や家庭用の電気機器に用いられるスイッチには、金属で形成された切片と、金属で形成された接点とを接触させる切片型スイッチや、半導体素子による半導体スイッチ等がある。近年では、半導体素子の生産コストが低下しており、半導体スイッチが切片型スイッチに代わって用いられる傾向にあるが、機械的な操作を伴う場合には切片型スイッチが必要である。
【先行技術文献】
【特許文献】
【０００３】
【特許文献１】特開平９−６９７６２号公報
【発明の概要】
【発明が解決しようとする課題】
【０００４】
切片型スイッチは、特許文献１に見られるように、装置の状態を検出するスイッチとして用いられることがある。このような状態検出用のスイッチは一端が接地され、他端がプルアップ抵抗器を介してバッテリ等の電力源に接続される。そして、スイッチとプルアップ抵抗器との接続点に現れる電圧に応じてスイッチの状態が検出される。また、スイッチが切り換わるときに切片および接点にスパークを発生させ、切片および接点をクリーニングする回路構成が採用されることもある。ここで、クリーニングとは、スパークによって切片および接点の絶縁被膜を破壊し、切片および接点との接触抵抗を低減させることをいう。
【０００５】
従来の回路構成では、スイッチがオンである間にプルアップ抵抗器を介してスイッチに電流が流れ、無駄な電力が消費されてしまうことがあった。
【０００６】
本発明は、切片型スイッチが用いられるスイッチ回路の消費電力を低減することを目的とする。
【課題を解決するための手段】
【０００７】
本発明は、第１接点、第２接点、基準端子および前記基準端子に接続された切片を備え、ユーザによる操作に応じて、前記第１接点または前記第２接点のうち一方に、前記切片を接触させる操作スイッチと、前記第１接点から電力源に至る経路に直列に挿入された第１スイッチおよび第１抵抗器と、前記第２接点から前記電力源に至る経路に直列に挿入された第２スイッチおよび第２抵抗器と、前記第１接点の電圧である第１電圧、および前記第２接点の電圧である第２電圧を検出し、前記第１電圧および前記第２電圧に基づいて、前記第１スイッチおよび前記第２スイッチを制御する制御部と、を備え、前記基準端子は、電圧が基準レベルである導体に接続されており、前記制御部は、前記第１スイッチがオンであり前記第２スイッチがオフであるときに、前記第１接点の電圧が電源レベルから基準レベルに変化したときは、前記第１接点の電圧が電源レベルから基準レベルに変化した後に、前記第１スイッチをオフにすると共に、前記第２スイッチをオンにし、前記第１スイッチがオフであり前記第２スイッチがオンであるときに、前記第２接点の電圧が電源レベルから基準レベルに変化したときは、前記第２接点の電圧が電源レベルから基準レベルに変化した後に、前記第１スイッチをオンにすると共に、前記第２スイッチをオフにすることを特徴とする。
【０００８】
望ましくは、前記操作スイッチでは、前記ユーザによって操作がされていないときには、前記切片が前記第２接点に接触し、前記ユーザによって操作がされたときには、前記切片は前記第１接点に接触した後に、前記第２接点に接触する。
【０００９】
本発明に係るスイッチシステムは、前記スイッチ回路と、電気機器との間の無線通信によって、当該電気機器を制御する制御対象回路と、を備え、前記電力源はバッテリであり、前記制御部は、前記第１電圧または前記第２電圧に基づいて、前記制御対象回路を制御する。
【発明の効果】
【００１０】
本発明によれば、切片型スイッチが用いられるスイッチ回路の消費電力を低減することができる。
【図面の簡単な説明】
【００１１】
【図１】スイッチシステムの構成を示す図である。
【図２】スイッチ回路の動作を説明する図である。
【図３】第２期間におけるスイッチシステムの状態を示す図である。
【図４】第３期間におけるスイッチシステムの状態を示す図である。
【図５】第４期間におけるスイッチシステムの状態を示す図である。
【発明を実施するための形態】
【００１２】
図１には、本発明の実施形態に係るスイッチシステム１が示されている。スイッチシステム１は、スイッチ回路１０および制御対象回路１２を備えている。スイッチ回路１０は、操作スイッチ１４、バッテリ１６、第１スイッチＳ１、第２スイッチＳ２、第１プルアップ抵抗器Ｒ１、第２プルアップ抵抗器Ｒ２および制御部１８を備えている。スイッチ回路１０は、ユーザによる操作スイッチ１４の操作に応じて制御対象回路１２を制御する。
【００１３】
操作スイッチ１４は、基準端子ＴＧ、第１接点Ｔ１、第２接点Ｔ２および切片Ｑを備えている。切片Ｑの一端は基準端子ＴＧに接続されており、切片Ｑの他端はユーザの操作に応じて第１接点Ｔ１に接触し、または第２接点Ｔ２に接触する。基準端子ＴＧは、接地導体に接続されている。
【００１４】
本実施形態における操作スイッチ１４は、ボタン２０を有するプッシュスイッチである。ボタン２０が解放されているときは切片Ｑは第２接点Ｔ２に接触している。ボタン２０が押下されることで切片Ｑは第１接点Ｔ１に接触する。
【００１５】
第１プルアップ抵抗器Ｒ１の一端は、操作スイッチ１４における第１接点Ｔ１に接続されている。第１プルアップ抵抗器Ｒ１の他端は、第１スイッチＳ１の一端に接続されている。第１スイッチＳ１の他端はバッテリ１６の正極端子に接続されている。第２プルアップ抵抗器Ｒ２の一端は、操作スイッチ１４における第２接点Ｔ２に接続されている。第２プルアップ抵抗器Ｒ２の他端は、第２スイッチＳ２の一端に接続されている。第２スイッチＳ２の他端はバッテリ１６の正極端子に接続されている。バッテリ１６の負極端子は、接地導体に接続されている。
【００１６】
制御部１８は、ＭＣＵ（Micro Control Unit）を含んでいてもよい。制御部１８は、第１接点Ｔ１の電圧Ｖ１および第２接点Ｔ２の電圧Ｖ２を検出し、電圧Ｖ１および電圧Ｖ２に基づいて、第１スイッチＳ１および第２スイッチＳ２をオンからオフに、またはオフからオンに制御する。制御部１８は、第１スイッチＳ１に第１制御信号Ｇ１を出力し、第２スイッチＳ２に第２制御信号Ｇ２を出力する。第１制御信号Ｇ１のレベルがハイであるときに第１スイッチＳ１はオンになり、第１制御信号Ｇ１のレベルがローであるときに第１スイッチＳ１はオフになる。第２制御信号Ｇ２のレベルがハイであるときに第２スイッチＳ２はオンになり、第２制御信号Ｇ２のレベルがローであるときに第２スイッチＳ２はオフになる。
【００１７】
制御部１８は、電圧Ｖ１および電圧Ｖ２に基づいて制御対象回路１２を制御する。制御対象回路１２は、産業用または家庭用の電気機器に組み込まれた電気回路であってよい。
【００１８】
図２（ａ）〜（ｇ）には、それぞれ、第１接点Ｔ１の電圧Ｖ１、第１制御信号Ｇ１、第１スイッチ電流Ｉ１、第２接点Ｔ２の電圧Ｖ２、第２制御信号Ｇ２、第２スイッチ電流Ｉ２、第１スイッチ電流Ｉ１および第２スイッチ電流Ｉ２を併せた時間波形が示されている。横軸は時間を示し、縦軸は電圧、電流または信号レベルを示す。第１スイッチ電流Ｉ１は、第１スイッチＳ１、第１プルアップ抵抗器Ｒ１および第１接点Ｔ１に流れる電流である。第２スイッチ電流Ｉ２は、第２スイッチＳ２、第２プルアップ抵抗器Ｒ２および第２接点Ｔ２に流れる電流である。
【００１９】
時刻ｔ１より前の第１期間Ｐ１では、操作スイッチ１４のボタン２０は解放されている。したがって、切片Ｑは第２接点Ｔ２に接触している。第１制御信号Ｇ１のレベルはハイＨであり、第１スイッチＳ１はオンである。第２制御信号Ｇ２のレベルはローＬであり、第２スイッチＳ２はオフである。
【００２０】
図１には、第１期間Ｐ１におけるスイッチシステム１の状態が示されている。第１接点Ｔ１は、第１プルアップ抵抗器Ｒ１および第１スイッチＳ１を介してバッテリ１６の正極端子に接続されている。そのため、第１接点Ｔ１の電圧Ｖ１はバッテリ出力電圧Ｖｂとなる。また、切片Ｑは第２接点Ｔ２に接触し、第１接点Ｔ１に接触していないため、第１スイッチ電流Ｉ１は０である。第１期間Ｐ１では、切片Ｑが第２接点Ｔ２に接触し接地されているため、第２接点Ｔ２の電圧Ｖ２は０である。また、第２スイッチＳ２はオフであるため、第２スイッチ電流Ｉ２は０である。
【００２１】
時刻ｔ１では、操作スイッチ１４のボタン２０が押下され、切片Ｑが第１接点Ｔ１に接触する。時刻ｔ１より後の時刻ｔ２では、制御部１８の制御によって第１制御信号Ｇ１のレベルがハイＨからローＬに変化し、第２制御信号Ｇ２のレベルがローＬからハイＨに変化する。すなわち、時刻ｔ２では、第１スイッチＳ１がオンからオフに切り換わり、第２スイッチＳ２がオフからオンに切り換わる。時刻ｔ２より後の時刻ｔ３では、操作スイッチ１４のボタン２０が解放され、切片Ｑが第２接点Ｔ２に接触する。時刻ｔ３より後の時刻ｔ４では、制御部１８の制御によって第１制御信号Ｇ１のレベルがローＬからハイＨに変化し、第２制御信号Ｇ２のレベルがハイＨからローＬに変化する。すなわち、時刻ｔ４では、第１スイッチＳ１がオフからオンに切り換わり、第２スイッチＳ２がオンからオフに切り換わる。
【００２２】
このように、スイッチ回路１０は次のような手順で動作する。初期の状態では、第１スイッチＳ１はオンであり、第２スイッチＳ２はオフである。また、操作スイッチ１４のボタン２０は解放されている。
（ｉ）操作スイッチ１４のボタン２０の押下によって、切片Ｑが第１接点Ｔ１に接触する。
（ｉｉ）第１スイッチＳ１がオンからオフになると共に、第２スイッチＳ２がオフからオンになる。
（ｉｉｉ）操作スイッチ１４のボタン２０の解放によって、切片Ｑが第２接点Ｔ２に接触する。
（ｉｖ）第１スイッチＳ１がオフからオンになると共に、第２スイッチＳ２がオフからオンになって初期状態に戻る。
【００２３】
図３には、時刻ｔ１から時刻ｔ２より前までの第２期間Ｐ２におけるスイッチシステム１の状態が示されている。第２期間Ｐ２では、切片Ｑが第１接点Ｔ１に接触し接地されているため、第１接点Ｔ１の電圧Ｖ１は０である。また、第２期間Ｐ２では、第１スイッチＳ１がオンの状態で切片Ｑが第１接点Ｔ１に接触している。そのため、バッテリ１６の正極端子から第１スイッチＳ１、第１プルアップ抵抗器Ｒ１、第１接点Ｔ１、切片Ｑおよび基準端子ＴＧを通って接地導体に至る電流経路が形成され、この電流経路に第１スイッチ電流Ｉ１が流れる。第１スイッチ電流Ｉ１はＩｍ１＝Ｖｂ／ｒ１である。ただし、ｒ１は第１プルアップ抵抗器Ｒ１の抵抗値である。また、第２スイッチＳ２はオフであるため、第２スイッチ電流Ｉ２は０である。切片Ｑは第１接点Ｔ１に接触しているため、第２接点Ｔ２の電圧は開放電圧である。図２では開放電圧は０とされている。
【００２４】
図４には、時刻ｔ２から時刻ｔ３より前までの第３期間Ｐ３におけるスイッチシステム１の状態が示されている。切片Ｑは接点Ｔ１に接触し、接点Ｔ２には接触していない。そして、第２スイッチＳ２はオンであり、第２接点Ｔ２は第２プルアップ抵抗器Ｒ２および第２スイッチＳ２を介してバッテリ１６の正極端子に接続されている。そのため、第２接点Ｔ２の電圧Ｖ２はバッテリ出力電圧Ｖｂとなる。また、切片Ｑが接点Ｔ２には接触していないため、第２スイッチ電流Ｉ２は０である。第３期間Ｐ３では、切片Ｑが第１接点Ｔ１に接触し接地されているため、第１接点Ｔ１の電圧Ｖ１は０である。また、第１スイッチＳ１はオフであるため、第１スイッチ電流Ｉ１は０である。
【００２５】
図５には、時刻ｔ３から時刻ｔ４より前までの第４期間Ｐ４におけるスイッチシステム１の状態が示されている。第４期間Ｐ４ではボタン２０が解放され、切片Ｑが第２接点Ｔ２に接触し接地されているため、第２接点Ｔ２の電圧Ｖ２は０である。また、第４期間Ｐ４では、第２スイッチＳ２がオンの状態で切片Ｑが第２接点Ｔ２に接触している。そのため、バッテリ１６の正極端子から第２スイッチＳ２、第２プルアップ抵抗器Ｒ２、第２接点Ｔ２、切片Ｑおよび基準端子ＴＧを通って接地導体に至る電流経路が形成され、この電流経路に第２スイッチ電流Ｉ２が流れる。第２スイッチ電流Ｉ２はＩｍ２＝Ｖｂ／ｒ２である。ただし、ｒ２は第２プルアップ抵抗器Ｒ２の抵抗値である。また、第１スイッチＳ１はオフであるため、第１スイッチ電流Ｉ１は０である。切片Ｑは第２接点Ｔ２に接触しているため、第１接点Ｔ１の電圧は開放電圧である。図２では開放電圧は０とされている。
【００２６】
時刻ｔ４より後の、時刻ｔ５〜ｔ８におけるスイッチシステム１の動作は、それぞれ、時刻ｔ１〜ｔ４におけるスイッチシステム１の動作と同一である。
【００２７】
このような動作において制御部１８が実行する処理について説明する。制御部１８は、第１接点Ｔ１の電圧Ｖ１がバッテリ出力電圧Ｖｂから０に変化したことを検出すると、電圧Ｖ１がバッテリ出力電圧Ｖｂから０に変化した時からクリーニング時間τが経過した時に、第１制御信号Ｇ１のレベルをハイＨからローＬに切り換えると共に、第２制御信号Ｇ２のレベルをローＬからハイＨに切り換える。この動作は、図２における時刻ｔ１から時刻ｔ２までの間の動作と、時刻ｔ５から時刻ｔ６までの間の動作に対応する。クリーニング時間τは、第１接点Ｔ１の電圧Ｖ１および第２接点Ｔ２の電圧Ｖ２に生じるチャタリング（時間変化）が十分小さくなる時間である。
【００２８】
同様に、制御部１８は、第２接点Ｔ２の電圧Ｖ２がバッテリ出力電圧Ｖｂから０に変化したことを検出すると、電圧Ｖ２がバッテリ出力電圧Ｖｂから０に変化した時からクリーニング時間τが経過した時に、第２制御信号Ｇ２のレベルをハイＨからローＬに切り換えると共に、第１制御信号Ｇ１のレベルをローＬからハイＨに切り換える。この動作は、図２における時刻ｔ３から時刻ｔ４までの間の動作と、時刻ｔ７から時刻ｔ８までの間の動作に対応する。
【００２９】
第１接点Ｔ１の電圧Ｖ１がバッテリ出力電圧Ｖｂから０に変化した後のクリーニング時間τでは、切片Ｑおよび第１接点Ｔ１にスパークが発生すると共に、第１接点Ｔ１に電流Ｉｍ１が流れる。これによって、切片Ｑおよび第１接点Ｔ１における絶縁被膜が破壊され、切片Ｑと第１接点Ｔ１との間の接触抵抗が低減される。同様に、第２接点Ｔ２の電圧Ｖ２がバッテリ出力電圧Ｖｂから０に変化した後のクリーニング時間τでは、切片Ｑおよび第２接点Ｔ２にスパークが発生すると共に、第２接点Ｔ２に電流Ｉｍ２が流れる。これによって、切片Ｑおよび第２接点Ｔ２における絶縁被膜が破壊され、切片Ｑと第２接点Ｔ２との間の接触抵抗が低減される。
【００３０】
制御部１８が、制御対象回路１２を制御する動作について説明する。制御部１８は、第１接点Ｔ１の電圧がバッテリ出力電圧Ｖｂから０に変化し、続いて、第２接点Ｔ２の電圧Ｖ２がバッテリ出力電圧Ｖｂから０に変化したことを検出すると、制御対象回路１２に対して所定の制御を実行する。なお、制御部１８は、第１接点Ｔ１の電圧がバッテリ出力電圧Ｖｂから０に変化したことを検出したときに、制御対象回路１２に対して所定の制御を実行してもよい。また、制御部１８は、第２接点Ｔ２の電圧がバッテリ出力電圧Ｖｂから０に変化したことを検出したときに、制御対象回路１２に対して所定の制御を実行してもよい。
【００３１】
制御対象回路１２は、スイッチシステム１とは別に設けられた他の電気機器との間で無線通信を行い、その電気機器を制御する回路であってもよい。電気機器としては、例えば、超音波画像を表示する超音波診断装置がある。この場合、スイッチシステム１はフットスイッチに組み込まれてよい。フットスイッチは、ユーザによる踏み込み動作によって操作されるスイッチである。ユーザの足によって押下される可動部材に操作スイッチ１４のボタン２０が取り付けられる。制御対象回路１２は、制御部１８による制御に従って、超音波診断装置との間で無線通信を行い、超音波診断装置を制御する。これによって、フットスイッチは、ユーザの踏み込み動作に応じて超音波診断装置を制御する。例えば、フットスイッチの踏み込みに応じて、すなわち、操作スイッチ１４におけるボタン２０の押下に応じて、超音波診断装置に表示された画像を静止させ、保存させる制御が実行されてもよい。
【００３２】
このように、本発明の実施形態に係るスイッチ回路１０は、操作スイッチ１４、第１スイッチＳ１、第１プルアップ抵抗器Ｒ１、第２スイッチＳ２、第２プルアップ抵抗器Ｒ２および制御部１８を備えている。操作スイッチ１４は、第１接点Ｔ１、第２接点Ｔ２、基準端子ＴＧおよび基準端子ＴＧに接続された切片Ｑを備え、ユーザによる操作に応じて、第１接点Ｔ１または第２接点Ｔ２のうち一方に切片Ｑを接触させる。第１スイッチＳ１および第１抵抗器Ｒ１は、第１接点Ｔ１から電力源としてのバッテリ１６に至る経路に直列に挿入されている。第２スイッチＳ２および第２抵抗器Ｒ２は、第２接点Ｔ２からバッテリ１６に至る経路に直列に挿入されている。制御部１８は、第１接点Ｔ１の電圧Ｖ１および第２接点Ｔ２の電圧Ｖ２を検出し、第１電圧Ｖ１および第２電圧Ｖ２に基づいて、第１スイッチＳ１および第２スイッチＳ２を制御する。基準端子ＴＧは、電圧が基準レベル、すなわち、接地電位０である導体に接続されている。
【００３３】
制御部１８は、第１スイッチＳ１がオンであり第２スイッチＳ２がオフであるときに、電圧Ｖ１がバッテリ出力電圧（電源レベル）から基準レベルに変化したときは、第１接点Ｔ１の電圧が電源レベルから基準レベルに変化した後に、第１スイッチＳ１をオフにすると共に、第２スイッチＳ２をオンにする。また、制御部１８は、第１スイッチＳ１がオフであり第２スイッチＳ２がオンであるときに、第２接点Ｔ２の電圧が電源レベルから基準レベルに変化したときは、第２接点Ｔ２の電圧が電源レベルから基準レベルに変化した後に、第１スイッチＳ１をオンにすると共に、第２スイッチＳ２をオフにする。
【００３４】
操作スイッチ１４では、ユーザによって操作がされていないときには切片Ｑが第２接点Ｔ２に接触し、ユーザによって操作がされたときに、切片Ｑが第１接続点Ｔ１に接触した後、第２接続点Ｔ２に接触する。
【００３５】
本実施形態に係るスイッチシステム１は、スイッチ回路１０と、電気機器との間の無線通信によって、電気機器を制御する制御対象回路１２とを備えてもよい。制御部１８は、電圧Ｖ１または電圧Ｖ２に基づいて制御対象回路１２を制御する。
【００３６】
スイッチシステム１では、クリーニング時間を除く時間帯では、第１スイッチＳ１、第１プルアップ抵抗器Ｒ１を経て第１接点Ｔ１に至る経路、および、第２スイッチＳ２、第２プルアップ抵抗器Ｒ２を経て第２接点Ｔ２に至る経路に電流が流れない。したがって、従来の状態検出用のスイッチに比べて、切片Ｑの動作の検出を待機するときの消費電力が低減される。これによって、バッテリ１６の充電電荷量が所定値を下回るまでのバッテリ持続時間が長くなる。
【００３７】
なお、上記では、第１プルアップ抵抗器Ｒ１および第１スイッチＳ１が直列接続された部分について、第１接点Ｔ１側に第１プルアップ抵抗器Ｒ１を設け、バッテリ１６側に第１スイッチＳ１を設けた実施形態について説明した。このような構成の他、第１接点Ｔ１側に第１スイッチＳ１を設け、バッテリ１６側に第１プルアップ抵抗器Ｒ１を設けた構成が採用されてもよい。同様に、第２プルアップ抵抗器Ｒ２および第２スイッチＳ２が直列接続された部分については、第２接点Ｔ２側に第２スイッチＳ２を設け、バッテリ１６側に第２プルアップ抵抗器Ｒ２を設けた構成が採用されてもよい。
【００３８】
また、上記では、電力源としてバッテリ１６を用いた実施形態について説明した。電力源には、商用電源等から供給された交流電力を直流電力に変換する電力源回路が用いられてもよい。
【００３９】
また、上記では、操作スイッチ１４がボタン２０を備えるプッシュスイッチである実施形態について説明した。操作スイッチ１４には、レバーによって操作されるもの等、様々な形態のスイッチが用いられてよい。
【符号の説明】
【００４０】
１  スイッチシステム、１０  スイッチ回路、１２  制御対象回路、１４  操作スイッチ、１６  バッテリ、１８  制御部、２０  ボタン、Ｔ１  第１接点、Ｔ２  第２接点、ＴＧ  基準端子、Ｓ１  第１スイッチ、Ｓ２  第２スイッチ、Ｒ１  第１プルアップ抵抗器、Ｒ２  第２プルアップ抵抗器。
【図１】
2020098686.tif 000003
【図２】
2020098686.tif 000004
【図３】
2020098686.tif 000005
【図４】
2020098686.tif 000006
【図５】
2020098686.tif 000007